(57)【要約】【課題】光源の発光面と導光体の入射面との相関位置を管理し、照明装置の輝度や発光効率を安定且つ向上させることができる照明装置、液晶表示装置及び電子機器を提供することを目的としている。【解決手段】光を発する光源６と、光源６の発光面６ａから照射された光を入射面７ａから入射させて出射面７ｂから出射する導光体７とを有する照明装置１において、導光体７の入射面７ａに光源６の発光面６ａを押し付ける第１の押付け手段１０が備えられている。【選択図】図１
2007250304.tif 000002
【特許請求の範囲】
【請求項１】
光を発する光源と、該光源の発光面から照射された光を入射面から入射させて出射面から出射する導光体とを有する照明装置において、
前記導光体の入射面に前記光源の発光面を押し付ける第１の押付け手段が備えられていることを特徴とする照明装置。
【請求項２】
請求項１記載の照明装置において、
前記導光体を保持するフレームに、前記光源を前記導光体の入射面側に付勢する第１の付勢部が形成され、
該第１の付勢部によって前記第１の押付け手段が構成されていることを特徴とする照明装置。
【請求項３】
請求項１または２記載の照明装置において、
前記導光体を保持するフレームに該導光体を押し付ける第２の押付け手段が備えられていることを特徴とする照明装置。
【請求項４】
請求項３記載の照明装置において、
前記フレームに、前記導光体を前記フレーム側に付勢する第２の付勢部が形成され、
該第２の付勢部によって前記第２の押付け手段が構成されていることを特徴とする照明装置。
【請求項５】
請求項１から４のいずれかに記載の照明装置において、
前記光源が複数備えられているとともに、該複数の光源が実装される基板が備えられており、
該基板は複数の島部同士が該島部よりも幅狭の繋ぎ部を介して連結された形状からなり、前記島部に前記光源が実装されていることを特徴とする照明装置。
【請求項６】
請求項５記載の照明装置において、
前記繋ぎ部の厚さは、前記島部の厚さよりも薄くなっていることを特徴とする照明装置。
【請求項７】
請求項１から６のいずれかに記載された照明装置が備えられ、
該照明装置に備えられた前記導光体の前記出射面からの出射光を液晶パネルに照射させる構成からなっていることを特徴とする液晶表示装置。
【請求項８】
請求項７記載の液晶表示装置が搭載されていることを特徴とする電子機器。
【発明の詳細な説明】
【技術分野】
【０００１】
本発明は、照明装置、液晶表示装置及び電子機器に関する。
【背景技術】
【０００２】
従来、携帯電話機等の液晶画面を照らす照明装置として、ＬＥＤ（Light Emitting Diode）とアクリルやポリカーボネート等からなる導光板とを用いた照明装置がある。この照明装置は、導光板の端面（入射面）側に複数のＬＥＤを配置し、これらのＬＥＤからそれぞれ発せられた光を入射面から導光板にそれぞれ入射させ、導光板の平面（出射面）から分散させて出射させるものである。一般に、導光板は、プラスチック等からなるフレームに保持されている。また、複数のＬＥＤは、両面テープ等によってフレームに接着固定されたＦＰＣ（Flexible Printed Circuit）上にそれぞれＳＭＴ（Surface Mount Technology）実装されている（例えば、特許文献１参照。）。
【特許文献１】特開２００４−３４９０１９号公報
【発明の開示】
【発明が解決しようとする課題】
【０００３】
しかしながら、上記した従来の照明装置では、ＦＰＣに実装されるＬＥＤ（光源）の実装バラツキや、ＬＥＤの外形バラツキ、フレームに接着されるＦＰＣの取付バラツキ、フレームに保持される導光板（導光体）のセットバラツキ等により、ＬＥＤの発光面と導光板の入射面との相関位置を管理することが難しいという問題が存在する。導光板の出射面から出射される光の輝度や発光効率を効率良く確保するためには、ＬＥＤ発光面と導光板入射面との相関位置、特にＬＥＤの光軸方向に沿った距離（間隔）が重要であり、ＬＥＤ発光面と導光板入射面との相関位置のバラツキが大きくなると、照明装置の輝度や発光効率が不安定になるとともに、導光効率が低下して照明装置の輝度や発光効率が低下するという問題が生じる。
【０００４】
本発明は上記した従来の問題が考慮されたものであり、光源の発光面と導光体の入射面との相関位置を管理し、照明装置の輝度や発光効率を安定且つ向上させることができる照明装置、液晶表示装置及び電子機器を提供することを目的としている。
【課題を解決するための手段】
【０００５】
本発明に係る照明装置は、光を発する光源と、該光源の発光面から照射された光を入射面から入射させて出射面から出射する導光体とを有する照明装置において、前記導光体の入射面に前記光源の発光面を押し付ける第１の押付け手段が備えられていることを特徴としている。
このように、発光面が第１の押付け手段によって入射面に押し付けられるため、第１の押付け手段により光源の発光面と導光体の入射面との相関位置を管理することができ、光源発光面と導光体入射面との相関位置を安定させることができる。したがって、照明装置の輝度や発光効率を安定且つ向上させることができる。
【０００６】
また、本発明の照明装置においては、前記導光体を保持するフレームに、前記光源を前記導光体の入射面側に付勢する第１の付勢部が形成され、該第１の付勢部によって前記第１の押付け手段が構成されているようにしてもよい。
通常、照明装置は小型であり、仮に、第１の押付け手段を別部品で構成したとすると、その部品は非常に小さくなるため、当該部品を組み込む作業には相当の手間がかかる。これに対し、上記した発明のように、フレームに第１の付勢部を形成することで第１の押付け手段を構成することにより、第１の押付け手段を構成するための部品を組み込む作業を不要とすることができ、部品数の増加による生産性の低下を抑止することができる。
【０００７】
また、本発明の照明装置においては、前記導光体を保持するフレームに該導光体を押し付ける第２の押付け手段が備えられている構成としてもよい。
このように、導光体が第２の押付け手段によってフレームに押し付けられることで、フレームに対する導光体のガタツキが抑えられ、フレームに対する導光体の位置精度が向上する。これによって、光源発光面と導光体入射面との相関位置を一層安定させることができ、照明装置の輝度や発光効率をより安定且つ向上させることができる。
【０００８】
また、本発明の照明装置においては、前記フレームに、前記導光体を前記フレーム側に付勢する第２の付勢部が形成され、該第２の付勢部によって前記第２の押付け手段が構成されているようにしてもよい。
通常、照明装置は小型であり、第２の押付け手段を構成する部品は非常に小さいため、当該部品を組み込む作業には相当の手間がかかるが、上記した発明のように、フレームに第２の付勢部を形成することで第２の押付け手段を構成することにより、第２の押付け手段を構成するための部品を組み込む作業を不要とすることができ、部品数の増加による生産性の低下を抑止することができる。
【０００９】
また、本発明の照明装置においては、前記光源が複数備えられているとともに、該複数の光源が実装される基板が備えられており、該基板は複数の島部同士が該島部よりも幅狭の繋ぎ部を介して連結された形状からなり、前記島部に前記光源が実装されている構成としてもよい。
このような構成にすると、幅狭の繋ぎ部が撓み易いため、基板に対する光源実装位置のズレやフレームに対する基板固定位置のズレを繋ぎ部で吸収することができる。また、基板に作用するズレやねじれ等の応力が繋ぎ部で受け流されるため、落下等により照明装置が衝撃を受けた場合、繋ぎ部で衝撃時の応力が吸収される。これによって、衝撃時に、光源の実装部分にクラックが発生することが防止され、実装部分の接続信頼性が向上し、また、衝撃時に導光体がフレームから外れ難くなり、頑丈な照明装置を提供することができる。
【００１０】
また、本発明の照明装置においては、前記繋ぎ部の厚さが、前記島部の厚さよりも薄くなっている構成としてもよい。
このような構成により、繋ぎ部が一層撓み易くなり、繋ぎ部で基板に対する光源実装位置のズレや、フレームに対する基板固定位置のズレを一層吸収することができる。さらに、繋ぎ部で一層大きな応力を受け流すことが可能であり、大きな衝撃にも対応することができる。
【００１１】
また、本発明に係る液晶表示装置は、上記した照明装置が備えられ、該照明装置に備えられた前記導光体の前記出射面からの出射光を液晶パネルに照射させる構成からなっていることを特徴としている。
このような特徴により、上記した照明装置と同様の作用及び効果を奏するため、均一且つ十分な明るさで表示され、視認性の良い液晶表示装置を提供することができる。
【００１２】
また、本発明に係る電子機器は、上記した液晶表示装置が搭載されていることを特徴としている。
このような特徴により、上記した照明装置や液晶表示装置と同様の作用及び効果を奏するため、快適な表示を実現した電子機器を提供することができる。
【発明を実施するための最良の形態】
【００１３】
以下、本発明に係る照明装置、液晶表示装置及び電子機器の実施の形態について、図面に基いて説明する。
【００１４】
［照明装置］
まず、本実施の形態における照明装置１の構成について説明する。
図１は本実施の形態における照明装置１の概略構成を表す分解斜視図である。
図１に示すように、本実施の形態における照明装置１は、フレーム２と、放熱板３と、光反射シート４と、基板５上にそれぞれ実装された複数の光源６…と、導光板７（導光体）と、光学フィルタ８と、遮光シート９とを有する構成からなる。この照明装置１には、光源６の発光面６ａを導光板７の入射面７ａに押し付ける第１の押付け手段１０と、導光板７をフレーム２に押し付ける第２の押付け手段１１とがそれぞれ備えられている。
【００１５】
フレーム２は、導光板７を保持するための枠形状の部品であり、例えばプラスチック等からなる。フレーム２の内側には内側開口２ａが設けられ、この内側開口２ａを取り囲むように枠部２ｂ，２ｃ，２ｄ，２ｅが設けられている。図１に示す例では、直線状の複数の枠部２ｂ〜２ｅにより矩形状の枠が形成され、内側に矩形状の内側開口２ａが形成されている。また、フレーム２の外側面には、後述する放熱板３の被係止部３ｊ〜３ｍにそれぞれ係止される複数の突起状の係止部２ｆ，２ｇ，２ｈ，２ｉが設けられている。なお、係止部２ｇ〜２ｉは図１に表されていないが、図１に表された係止部２ｆと同様の構成からなり、図１では係止部２ｇ〜２ｉが形成される位置に符号が付してある。
【００１６】
図２は本実施の形態における第１の押付け手段１０および第２の押付け手段１１の構成を表した部分拡大平面図であり、図３は図２に示すＡ−Ａ間の断面図である。
図２，図３に示すように、フレーム２の枠部２ｂには、第１の押付け手段１０を構成する第１の付勢部２ｊと、第２の押付け手段１１を構成する第２の付勢部２ｋとがそれぞれ形成されている。
【００１７】
第１の付勢部２ｊは、光源６を導光板７の入射面７ａ側に付勢する部位である。第１の付勢部２ｊは、フレーム２の枠部２ｂの一部を、スプリング性を持たせた形状に成形し、この部分のスプリング性によって、光源６に当接する当接部２ｌに付勢力を付与する部位である。第１の付勢部２ｊの具体的構成としては、枠部２ｂのうちの光源６に対向する部分に、押付け方向に直交する方向（枠部２ｂの軸線に直交する方向）に延在する長孔２ｍが形成され、この長孔２ｍの真中付近の位置に光源６側に突出した当接部２ｌが形成された構成がある。上記した長孔２ｍにより、第１の付勢部２ｊにスプリング性が持たせられる。そして、このスプリング性によって、当接部２ｌが発光面６ａの反対側から光源６を押圧し、光源６の発光面６ａが導光板７の入射面７ａに押し付けられる。
【００１８】
第２の付勢部２ｋは、導光板７をフレーム２側に付勢する部位である。第２の付勢部２ｋは、フレーム２の枠部２ｂの一部を、スプリング性を持たせた形状に成形し、この部分のスプリング性によって、導光板７に当接する当接部２ｎ，２ｎに付勢力を付与する部位である。第２の付勢部２ｋの具体的構成としては、上記した光源６に当接する当接部２ｌの両側に導光板７の側端面（入射面７ａ）に当接する当接部２ｎ，２ｎがそれぞれ形成された構成がある。上記した長孔２ｍにより、第２の付勢部２ｋにスプリング性が持たせられる。そして、このスプリング性によって、当接部２ｎ，２ｎがそれぞれ入射面７ａ側から導光板７を押圧し、導光板７の入射面７ａの反対側に位置する図１に示す側端面７ｃがフレーム２の枠部２ｄに押し付けられる。なお、本実施の形態では、第２の付勢部２ｋは第１の付勢部２ｊと一組（ワンセット）となっており、第１の付勢部２ｊと第２の付勢部２ｋは渾然一体に形成されている。
【００１９】
図１に示すように、放熱板３は、上記フレーム２に取り付けられる例えばアルミニウムや銅、ステンレス鋼等の金属素材、または熱伝導性の良好な金属以外の素材からなる板状の部品である。放熱板３は上記フレーム２の内側開口２ａを覆う板面３ａを有しており、放熱板３の外縁は枠部２ｂ〜２ｅに対応した形状になっている。また、放熱板３の外縁部分には、板面３ａから立ち上げられた折り返し部３ｂ，３ｃ，３ｄ，３ｅ，３ｆ，３ｇ，３ｈが板面３ａを囲うように設けられている。これらの折り返し部３ｂ〜３ｈの中にフレーム２が嵌め込まれ、フレーム２の枠部２ｂ〜２ｅの外面に各折り返し部３ｂ〜３ｈがそれぞれ係合される。また、放熱板３の折り返し部３ｂ〜３ｈのうち、上記フレーム２の係止部２ｆ〜２ｉに対応する位置にある折り返し部３ｃ，３ｅ，３ｆ，３ｈには、フレーム２の係止部２ｆ〜２ｉを係止させるための被係止部３ｉ，３ｊ，３ｋ，３ｌがそれぞれ設けられている。これらの被係止部３ｉ〜３ｌは、フレーム２の係止部２ｆ〜２ｉがそれぞれ嵌め込まれる開口であり、これらの被係止部３ｉ〜３ｌにフレーム２の係止部２ｆ〜２ｉが嵌め込まれて係止されることで、放熱板３がフレーム２に一体的に取り付けられている。
【００２０】
一方、フレーム２には、基板５上に光源６が実装されてなる光源基板１２が取り付けられている。光源基板１２を構成する基板５は、フレーム２の枠部２ｂに沿って延在する帯状の基板であり、例えばポリイミド樹脂等を基材とするＦＰＣを用いることが好ましい。ＦＰＣを用いることで、基板５の厚さを小さくすることができ、また、他の部材への密着性を向上させることができる。ただし、基板５としてＦＰＣ以外の基板を用いることも可能であり、例えば、フェノール樹脂やガラスエポキシ樹脂等で構成されるハード基板を用いてもよい。
【００２１】
図４は光源６を実装した基板５を表す拡大平面図である。
図１，図３，図４に示すように、上記した基板５は、矩形の島部５ａ…と、島部５ａよりも幅が狭い帯状の繋ぎ部５ｂ…とを有しており、複数（図１では３つ）の島部５ａ…同士が繋ぎ部５ｂ…を介して連結された形状になっている。つまり、基板５は、幅が広い島部５ａと幅が狭い繋ぎ部５ｂとが交互に配設された形状になっており、基板５の長手方向の辺は、凹凸形状になっている。また、繋ぎ部５ｂの厚さ寸法ｈ１は島部５ａの厚さ寸法ｈ２よりも小さく、繋ぎ部５ｂは島部５ａよりも薄くなっている。なお、上記した「幅」とは、光源６の光軸方向の寸法、つまり、島部５ａ…と繋ぎ部５ｂ…との連結方向及び基板５の板厚方向にそれぞれ直交する方向のことであり、また、上記した「厚さ」とは、基板５の板厚方向、つまり、基板５の板厚方向及び島部５ａ…と繋ぎ部５ｂ…との連結方向及び光源６の光軸方向にそれぞれ直交する方向のことである。
【００２２】
基板５上に実装される複数の光源６…は、光を発する部材であり、基板５の各島部５ａ…上にそれぞれ実装されて、互いに間隔をあけて一列に配列されている。光源６は、ＳＭＴ実装により基板５の島部５ａ上に固定されることが好ましいが、勿論、他の実装方法によって基板５に固定されていてもよい。また、各光源６…は、基板５の長手方向に直交する方向に各々の発光面６ａ…を向けてそれぞれ配設されている。光源６として、例えばＬＥＤ等の高輝度光源を用いることが好ましいが、勿論、ＬＥＤ以外の他の光源、例えば冷陰極管等を用いることも可能である。
【００２３】
複数の光源６…が実装された基板５は、第１，第２の付勢部２ｊ，２ｋが形成されたフレーム２の枠部２ｂに接合されている。具体的には、基板５の島部５ａの上面（光源６が実装される側の面）に両面テープ等の接着部１３…が設けられ、この接着部１３を介して基板５の島部５ａがフレーム２の第１，第２の付勢部２ｊ，２ｋの部分の裏面（放熱板３側の面）に接着接合されている。この状態のとき、図２に示すように、基板５上に実装された光源６は、第２の付勢部２ｋの当接部２ｎ，２ｎ間に嵌め込まれ、且つ、第１の付勢部２ｊの当接部２ｌの先端が光源６の背面６ｂ（発光面６ａの反対側の面）に当接した状態になっている。
【００２４】
上記したように、フレーム２に光源基板１２が接合されるとともに、フレーム２に放熱板３が取り付けられることで、放熱板３の板面３ａを底面にしてフレーム２の枠部２ｂ〜２ｅを周壁にした容器が構成される。この容器の内部には、フレーム２の枠部２ｂに沿って複数の光源６…が配設されているとともに、図１に示すように、光反射シート４、導光板７、光学フィルタ８、遮光シート９が順次重ねられた状態で収容されている。
【００２５】
図１に示すように、光反射シート４としては、例えばＰＥＴ（ポリエチレンテレフタレート）などの樹脂基材の表面上にＡｌ，Ａｇ，Ｃｒなどの金属膜をコーティングしたものなどを用いることができる。この光反射シート４は光反射層を導光板７側に有するものであれば如何なるものであってもよい。また、この光反射シート４の代わりに、光反射層として、放熱板３の板面３ａ上に被着された光反射膜を用いることもできる。上記の光反射層は、Ａｌ，Ａｇ，Ｃｒ，Ｎｉなどの金属やこれらを主体とする合金などで構成できる。
【００２６】
導光板７は、内部に光を伝播させることのできる薄板状の導光部材であり、例えば透明なアクリル板に白色顔料を印刷したものや、同じく透明なアクリル板の片面（凹凸面７ｄ）に微細な穴（あるいは突起）を多数設けたものが利用できる。導光板７は、上記複数の光源６…の配列方向に沿って延在してこれらの光源６…に対向する側端面を有しており、この側端面を入射面７ａとしている。また、導光板７は、入射面７ａに直交して形成されて光学フィルタ８に対向する平面を有しており、この平面を出射面７ｂとしている。この導光板７では、光源６の発光面６ａから照射された光が入射面７ａから導光板７内に入射され、入射された光が導光板７の凹凸面７ｄで分散され、分散された光が出射面７ｂから出射される。
【００２７】
また、導光板７は、フレーム２の内側に嵌め込まれる矩形の部材であり、導光板７がフレーム２内に嵌め込まれた状態のとき、上記したように、導光板７は第２の付勢部２ｋによって枠部２ｄに押し付けられて固定されている。また、導光板７の入射面７ａには、上記したように、第１の付勢部２ｊによって光源６が押し付けられている。
【００２８】
光学フィルタ８は、必要に応じて導光板７の出射面７ｂ上に配設される光拡散板や集光板などであり、必要に応じて複数枚重ねることは可能であり、勿論、光拡散板や集光板等の光学フィルタ８が無い構成であってもよい。
【００２９】
遮光シート９は、光学フィルタ８、或いは導光板７の出射面７ｂの上に直接配設される枠状のシートである。遮光シート９によれば、導光板７の外縁部と重なる領域を覆い、その内側に照明装置１の照射領域を画成することができる。すなわち、この遮光シート９によって、導光板７の出射面７ｂのうち照明光の照度のばらつきの多い外縁部分が遮光され、その内側に比較的均一な照度が得られる照射領域が形成される。
【００３０】
次に、上記した構成からなる照明装置１の製造方法の一例を説明する。
まず、上記した基板５上に複数の光源６…を実装させて光源基板１２を製作する工程を行う。次に、接着部１３を介して基板５をフレーム２の枠部２ｂに接着させ、フレーム２に光源基板１２を接合させる工程を行う。次に、フレーム２に放熱板３を取り付けて容器を形成する工程を行う。そして、放熱板３の板面３ａ上に光反射シート４を敷き、その光反射シート４の上に載せるようにして、フレーム２の内側に導光板７を嵌め込んで取り付ける工程を行う。最後に、導光板７の出射面７ｂ上に光学フィルタ８や遮光シート９を順次設置する工程を行う。なお、上記した構成からなる照明装置１は、上述した方法以外の製造方法でも製造可能であり、上記した製造方法以外の周知の製造方法によっても製造可能である。
【００３１】
次に、上記した構成からなる照明装置１の作用効果について説明する。
上記した構成からなる照明装置１によれば、導光板７の入射面７ａに光源６の発光面６ａを押し付ける第１の押付け手段１０が備えられた構成になっているため、第１の押付け手段１０により光源６の発光面６ａと導光体７の入射面７ａとの相関位置を管理することができ、発光面６ａと入射面７ａとの相関位置を安定させることができる。したがって、照明装置１の輝度や発光効率を安定且つ向上させることができる。
【００３２】
また、上記した構成からなる照明装置１は、第１の押付け手段１０が、導光体７を保持するフレーム２に形成された第１の付勢部２ｊからなる構成になっているため、第１の押付け手段１０がフレーム２の成形工程によって形成され、第１の押付け手段１０を構成するための部品を別途組み込む作業が不要となる。通常、照明装置１が小型である場合、各部品は非常に小さくなり、当該部品を組み立てる作業には相当の手間がかかるため、部品を複雑な形状に成形するよりも部品数が増える方が照明装置１の生産性が低下する。したがって、上記した照明装置１のように、部品数を増加させることなく、第１の押付け手段１０を形成することで、照明装置１の生産性の低下を抑えることができる。
【００３３】
また、上記した構成からなる照明装置１は、導光体７をフレーム２に押し付ける第２の押付け手段１１が備えられた構成とすることにより、フレーム２に対する導光体７のガタツキが抑えられ、フレーム２に対する導光体７の位置精度が向上する。これによって、光源６の発光面６ａと導光体７の入射面７ａとの相関位置を一層安定させることができ、照明装置１の輝度や発光効率を一層安定且つ向上させることができる。
【００３４】
また、上記した構成からなる照明装置１は、第２の押付け手段１１が、導光体７を保持するフレーム２に形成された第２の付勢部２ｋからなる構成になっているため、第２の押付け手段１１がフレーム２の成形工程によって形成され、第２の押付け手段１１を構成するための部品を別途組み込む作業が不要となる。したがって、上記した第１の押付け手段１０（第１の付勢部２ｊ）の場合と同様に、照明装置１の生産性の低下を抑えることができる。
【００３５】
また、上記した構成からなる照明装置１は、基板５が、複数の島部５ａ…同士が島部５ａよりも幅狭の繋ぎ部５ｂ…を介して連結された形状からなり、これらの島部５ａ…に光源６…がそれぞれ実装されている構成になっているため、幅狭で撓み易い繋ぎ部５ｂ…によって、基板５に対する光源６の実装位置のズレやフレーム２に対する基板５の固定位置のズレを吸収することができる。また、基板５に作用するズレやねじれ等の応力が繋ぎ部５ｂ…で受け流されるため、落下等により照明装置１が衝撃を受けた場合、繋ぎ部５ｂ…で衝撃時の応力が吸収される。これによって、衝撃時に、光源６の実装部分にクラックが発生することが防止され、実装部分の接続信頼性が向上する。また、衝撃時に導光体７がフレーム２から外れ難くなり、頑丈な照明装置１を提供することができる。
【００３６】
また、上記した構成からなる照明装置１は、繋ぎ部５ｂ…の厚さが、島部５ａ…の厚さよりも薄い構成となっていることにより、繋ぎ部５ｂ…が一層撓み易くなる。これによって、繋ぎ部５ｂ…で、基板５に対する光源６の実装位置のズレや、フレーム２に対する基板５の固定位置のズレを一層吸収することができる。さらに、繋ぎ部５ｂ…で、一層大きな応力を受け流すことが可能であり、より大きな衝撃にも対応することができる。
【００３７】
［液晶表示装置］
次いで、本実施の形態における液晶表示装置５０について説明する。
図５は本実施の形態における液晶表示装置５０を表した断面図である。
図５に示すように、液晶表示装置５０は、上記した照明装置１を備える液晶表示装置であり、パッシブマトリクス型の液晶表示装置、或いは、アクティブマトリクス型の液晶表示装置がある。なお、前記したアクティブマトリクス型の液晶表示装置とは、例えばＴＦＴ（薄膜トランジスタ）やＴＦＤ（薄膜ダイオード）をスイッチング素子として備えた液晶表示装置である。液晶表示装置５０は、照明装置１に備えられた導光体７の出射面７ｂからの出射光を液晶パネル５１に照射させる構成からなっている。具体的には、照明装置１の遮光シート９に対向させて液晶パネル５１が配置され、液晶パネル５１の上から保持枠５２がフレーム２に取り付けられる構成からなる。
【００３８】
液晶パネル５１は、ガラスやプラスチックなどで構成される一対の基板５３，５４を図示しないシール材などで貼り合わせ、これらの基板５３，５４間に電気光学物質、例えば液晶を配置したものである。通常、一方の基板５３には、他方の基板５４の外形よりも外側へ張り出した基板張出部５３ａが設けられ、この基板張出部５３ａ上には入力端子部などが構成されている。図５に示す例では基板張出部５３ａ上に駆動回路などを内蔵する半導体ＩＣ５５が実装されている。なお、基板５３，５４の外面上には、偏光板や位相差板などが配置されるが、これらについては図示を省略してある。
【００３９】
保持枠５２は、液晶パネル５１の表示領域を露出するとともに、液晶パネル５１の外縁部を上方から支持するように構成されている。保持枠５２には図示しない複数の被係合部が設けられ、これらの複数の係合部がフレーム２に設けられた図１に示す係止部２ｏ，２ｐ，２ｑ，２ｒにそれぞれ係合することにより、保持枠５２がフレーム２に固定されるようになっている。そして、これによって、液晶パネル５１や保持枠５２、照明装置１等が一体化されて液晶表示装置５０が形成される。なお、上記した係止部２ｑ，２ｒは図１に表されていないが、図１に表された係止部２ｏ，２ｐと同様の構成からなり、図１では係止部２ｑ，２ｒが形成される位置に符号が付してある。
【００４０】
上記した構成からなる液晶表示装置５０によれば、上記した照明装置１が備えられていることにより、均一且つ十分な明るさで表示され、視認性の良い液晶表示装置５０を実現することができる。
【００４１】
［電子機器］
次いで、本実施の形態における電子機器１００について説明する。
図６は本実施形態の表示系の構成を示す概略構成図である。
図６に示すように、電子機器１００は、上記した液晶表示装置５０と、表示制御回路１１０とを有する構成からなる。なお、液晶表示装置５０に備えられた図６に示す半導体ＩＣ５５によって駆動回路５６が構成されている。
表示制御回路１１０は、表示情報出力源１１１と、表示情報処理回路１１２と、電源回路１１３と、タイミングジェネレータ１１４と、光源制御回路１１５とを備える構成からなる。
【００４２】
表示情報出力源１１１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４によって生成された各種のクロック信号に基づいて、所定フォーマットの画像信号等の形で表示情報を表示情報処理回路１１２に供給するように構成されている。
【００４３】
表示情報処理回路１１２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に液晶表示装置５０の駆動回路５６へ供給する。この駆動回路５６は、走査線駆動回路、信号線駆動回路及び検査回路を有している。また、電源回路１１３は、上記した表示情報出力源１１１や表示情報処理回路１１２、タイミングジェネレータ１１４、光源制御回路１１５、駆動回路５６等にそれぞれ所定の電圧を供給する。
【００４４】
光源制御回路１１５は、外部から導入される制御信号に基づいて、電源回路１１３から供給される電力を照明装置１の光源基板１２に供給する。光源基板１２の各光源６…から放出された光は導光板７の図１に示す入射面７ａに入射して図１に示す出射面７ｂから液晶表示装置５０に対して照射される。この光源制御回路１１５は、上記制御信号に応じて光源基板１２の各光源６…の点灯／非点灯を制御する。また、各光源６…の輝度を制御することも可能である。
【００４５】
図７は上記した電子機器１００の一例である携帯電話１０００の外観を示す斜視図である。
図７に示すように、この携帯電話１０００は、操作部１００１と、表示部１００２とを有し、表示部１００２の筐体内部に回路基板１００３が配置されている。回路基板１００３上には上記の液晶表示装置５０が実装されている。そして、表示部１００２の表面において上記液晶パネル５１の表示画面を視認できるように構成されている。
【００４６】
上記した構成からなる電子機器１００によれば、上記した液晶表示装置５０が搭載された構成からなるため、快適な表示を実現した電子機器１００を提供することができる。
【００４７】
以上、本発明に係る照明装置、液晶表示装置及び電子機器の実施の形態について説明したが、本発明は上記した実施の形態に限定されるものではなく、その趣旨を逸脱しない範囲で適宜変更可能である。例えば、上記した実施の形態では、第２の付勢部２ｋが第１の付勢部２ｊと同じ枠部２ｂに形成されており、光源６が配設された入射面７ａ側から導光板７を枠部２ｄに押し付けているが、本発明は、入射面７ａと反対の側端面７ｃ側から導光板７を枠部２ｂに押し付ける第２の付勢部であってもよい。この場合、入射面７ａ側の枠部２ｂには、入射面７ａが当接される被当接面を形成しておく。なお、第２の付勢部は、入射面７ａに対して垂直方向に導光板７を付勢するものに限定されず、例えば、入射面７ａに沿った方向、つまり、図１に示す枠部２ｃから枠部２ｅに向けた方向、或いは枠部２ｅから枠部２ｃに向けた方向に、導光板７を付勢する第２の付勢部であってもよい。
【００４８】
また、上記した実施の形態では、第１の付勢部２ｊや第２の付勢部２ｋが、フレーム２の枠部２ｂの一部に長孔２ｍを形成してスプリング性を持たせた構成からなっているが、本発明は、第１の付勢部や第２の付勢部がその他の構成からなるものでもよく、例えば、フレームの内側面に光源や導光板を付勢する板バネ部が形成された構成でもよい。
【００４９】
また、上記した実施の形態では、フレーム２に形成された第１の付勢部２ｊによって第１の押付け手段１０が構成され、フレーム２に形成された第２の付勢部２ｋによって第２の押付け手段１１が構成されているが、本発明に係る第１の押付け手段や第２の押付け手段は、フレーム２とは別体のスプリングや板バネ等の付勢部材からなる押付け手段であってもよく、例えば、フレームの枠部と光源との間に付勢部材を介装させた構成からなる第１の押付け手段であってもよく、また、フレームの枠部と導光板との間に付勢部材を介装させた構成からなる第２の押付け手段であってもよい。
【００５０】
また、上記した実施の形態では、導光板７を固定するための第２の押付け手段１１が備えられているが、本発明は、第２の押付け手段が備えられていない照明装置であってもよい。
また、上記した実施の形態では、光源６が実装された基板５が、複数の島部５ａ…同士が繋ぎ部５ｂ…を介して連結された形状（以下、島形状と記す。）になっており、且つ、前記繋ぎ部５ｂ…の厚さが島部５ａ…よりも薄くなっているが、本発明は、島部と繋ぎ部とが同じ厚さであってもよく、さらに、光源が実装される基板が上記した島形状以外の形状であってもよく、例えば長方形の基板であってもよい。
その他、本発明の主旨を逸脱しない範囲で、上記した実施の形態の構成要素を周知の構成要素に置き換えることは可能であり、上記した変形例を適宜組み合わせてもよい。
【００５１】
また、上記した実施の形態では、照明装置１が、画像や情報などを表示する液晶表示装置５０に搭載されているが、本発明に係る照明装置は、所定の光を被照射体に出射するものでもよい。
また、上記した実施の形態では、電子機器１００として携帯電話１０００を例示しているが、本発明は、パーソナルコンピュータや液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器、デジタル腕時計等の電子機器であってもよい。
【図面の簡単な説明】
【００５２】
【図１】本発明に係る実施の形態における照明装置の分解斜視図である。
【図２】本発明に係る実施の形態における照明装置の部分平面図であり、第１の押付け手段や第２の押付け手段を表す図である。
【図３】本発明に係る実施の形態における照明装置の部分断面図であり、図２に示すＡ−Ａ間の断面を表す図である。
【図４】本発明に係る実施の形態における基板の平面図である。
【図５】本発明に係る実施の形態における液晶表示装置の断面図である。
【図６】本発明に係る実施の形態における電子機器の概略構成図である。
【図７】本発明に係る実施の形態における電子機器の外観斜視図である。
【符号の説明】
【００５３】
１  照明装置
２  フレーム
２ｊ  第１の付勢部
２ｋ  第２の付勢部
５  基板
５ａ  島部
５ｂ  繋ぎ部
６  光源
６ａ  発光面
７  導光板（導光体）
７ａ  入射面
７ｂ  出射面
１０  第１の押付け手段
１１  第２の押付け手段
５０  液晶表示装置
５１  液晶パネル
１００  電子機
【図１】
2007250304.tif 000003
【図２】
2007250304.tif 000004
【図３】
2007250304.tif 000005
【図４】
2007250304.tif 000006
【図５】
2007250304.tif 000007
【図６】
2007250304.tif 000008
【図７】
2007250304.tif 000009